(57)【要約】  映像のレジデュー符号化／復号化方法及び装置が提供される。本発明は映像を構成する複数の色成分映像において、入力映像と予測映像との差であるレジデュー間の相関関係を利用して、いずれか一つの色成分映像のレジデューから他の色成分映像のレジデューを予測することによって符号化効率を向上させる。
2009543423.tif 000002
【特許請求の範囲】
【請求項１】
映像の符号化方法において、
入力映像に備えられた複数の色成分映像それぞれに対して、入力画素ブロックと予測画素ブロックとの差に該当する第１レジデューブロックを生成するステップと、
前記複数の色成分映像のうち、第１色成分映像の第１レジデューブロックを符号化するステップと、
前記符号化された第１色成分映像の第１レジデューブロックを復元するステップと、
前記第１色成分映像の復元された第１レジデューブロックを利用して、前記第１色成分映像に含まれていない少なくとも一つの残りの色成分映像のレジデューを予測して第２レジデューブロックを生成するステップと、
前記残りの色成分映像の第１レジデューブロックと前記予測された第２レジデューブロックとの差を計算して、前記残りの色成分映像の第３レジデューブロックを生成するステップと、
前記生成された残りの色成分映像の第３レジデューブロックを符号化するステップと、を含むことを特徴とする符号化方法。
【請求項２】
前記色成分映像は、
Ｒ（Ｒｅｄ）色成分映像、Ｇ（Ｇｒｅｅｎ）色成分映像及びＢ（Ｂｌｕｅ）色成分映像であることを特徴とする請求項１に記載の符号化方法。
【請求項３】
前記第１レジデューブロックを生成するステップは、
前記複数の色成分映像それぞれに対してブロック単位でインター予測及びイントラ予測のうち、少なくとも一つを行って各色成分映像の入力画素ブロックの予測画素ブロックを生成するステップを含むことを特徴とする請求項１に記載の符号化方法。
【請求項４】
前記第１色成分映像に含まれていない少なくとも一つの残りの色成分映像のレジデューを予測して第２レジデューブロックを生成するステップは、
前記第１色成分映像の復元された第１レジデューブロックの大きさをｉ×ｊ（ｉ、ｊは整数）、前記第１色成分映像の復元された第１レジデューブロックのｉ番目の行、ｊ番目の列に位置したレジデュー値を
【数１】
2009543423.tif 000019
前記
【数２】
2009543423.tif 000020
に対応する残りの色成分映像の第２レジデューブロックの予測レジデュー値を
【数３】
2009543423.tif 000021
は所定の加重値、ｂは所定のオフセット値とする時、次の数式；
【数４】
2009543423.tif 000022
を利用して前記予測レジデュー値を計算することによって、前記残りの色成分映像の第２レジデューブロックを生成することを特徴とする請求項１に記載の符号化方法。
【請求項５】
前記ａ及びｂは、
前記第１色成分映像の復元された周辺レジデューブロック及び前記残りの色成分映像の復元された周辺レジデューブロックを利用した線形回帰モデルに基づいて決定されることを特徴とする請求項４に記載の符号化方法。
【請求項６】
前記ａは、１であり、前記ｂは、前記残りの色成分映像の復元された周辺レジデューブロックのレジデュー値と前記第１色成分映像の復元された周辺レジデューブロックの復元されたレジデュー値との差の平均であることを特徴とする請求項４に記載の符号化方法。
【請求項７】
前記第１色成分映像に含まれていない少なくとも一つの残りの色成分映像のレジデューを予測して第２レジデューブロックを生成するステップは、
前記第１色成分映像の復元されたレジデューブロックを利用して前記残りの色成分映像のうち、第２色成分映像の第２レジデューブロックを生成するステップと、
前記第２色成分映像の復元されたレジデューブロックを利用して前記残りの色成分映像のうち、第３色成分映像の第２レジデューブロックを生成するステップと、をさらに含むことを特徴とする請求項１に記載の符号化方法。
【請求項８】
映像の符号化装置において、
入力映像に備えられた複数の色成分映像それぞれに対して入力画素ブロックの予測画素ブロックを生成する予測画素ブロック生成部と、
前記複数の色成分映像それぞれに対して前記入力画素ブロックと前記予測画素ブロックとの差に該当する第１レジデューブロックを生成し、前記第１レジデューブロックのうち、第１色成分映像の復元された第１レジデューブロックを利用して、残りの色成分映像のレジデューを予測して第２レジデューブロックを生成し、前記第１レジデューブロックと第２レジデューブロックとの差に該当する前記残りの色成分映像の第３レジデューブロックを生成するレジデュー生成部と、
前記生成されたレジデューブロックを符号化する符号化部と、を備えることを特徴とする符号化装置。
【請求項９】
前記色成分映像は、
Ｒ（Ｒｅｄ）色成分映像、Ｇ（Ｇｒｅｅｎ）色成分映像及びＢ（Ｂｌｕｅ）色成分映像であることを特徴とする請求項８に記載の符号化装置。
【請求項１０】
前記予測画素ブロック生成部は、
前記複数の色成分映像それぞれに対してインター予測及びイントラ予測のうち、少なくとも一つを行って、各色成分映像の入力画素ブロックの予測画素ブロックを生成することを特徴とする請求項８に記載の符号化装置。
【請求項１１】
前記レジデュー生成部は、
前記第１色成分映像の復元された第１レジデューブロックの大きさをｉ×ｊ（ｉ、ｊは整数）、前記第１色成分映像の復元された第１レジデューブロックのｉ番目の行、ｊ番目の列に位置したレジデュー値を
【数５】
2009543423.tif 000023
前記
【数６】
2009543423.tif 000024
に対応する前記残りの色成分映像の第２レジデューブロックの予測レジデュー値を
【数７】
2009543423.tif 000025
は所定の加重値、ｂは所定のオフセット値とする時、次の数式；
【数８】
2009543423.tif 000026
を利用して前記予測レジデュー値を計算することによって、前記残りの色成分映像の第２レジデューブロックを生成することを特徴とする請求項８に記載の符号化装置。
【請求項１２】
前記ａ及びｂは、
前記第１色成分映像の復元された周辺レジデューブロック、及び前記残りの色成分映像の復元された周辺レジデューブロックを利用した線形回帰モデルに基づいて決定されることを特徴とする請求項１１に記載の符号化装置。
【請求項１３】
前記ａは、１であり、前記ｂは、前記残りの色成分映像の復元された周辺レジデューブロックのレジデュー値と前記第１色成分映像の復元された周辺レジデューブロックの復元されたレジデュー値との差の平均であることを特徴とする請求項１１に記載の符号化装置。
【請求項１４】
前記レジデュー生成部は、
前記第１色成分映像の復元されたレジデューブロックを利用して第２色成分映像の第２レジデューブロックを生成し、前記第２色成分映像の復元されたレジデューブロックを利用して第３色成分映像の第２レジデューブロックを生成することを特徴とする請求項８に記載の符号化装置。
【請求項１５】
映像の復号化方法において、
前記映像を構成する複数の色成分映像のうち、第１色成分映像の入力画素ブロックと予測画素ブロックとの差に該当する第１レジデューブロック、及び前記第１色成分映像の第１レジデューブロックを利用して予測された残りの色成分映像の第２レジデューブロックと前記残りの色成分映像の入力画素ブロックとの差に該当する第３レジデューブロックを備えるビットストリームを受信するステップと、
前記第１色成分映像の第１レジデューブロック及び前記残りの色成分映像の第３レジデューブロックを復号化するステップと、
前記第１色成分映像の復号化された第１レジデューブロックを利用して前記残りの色成分映像のレジデューを予測して、前記残りの色成分映像の第２レジデューブロックを生成するステップと、
前記生成された第２レジデューブロックと前記復号化された第３レジデューブロックと加えて、前記残りの色成分映像の第１レジデューブロックを復元するステップと、
前記複数の色成分映像それぞれの予測画素ブロックと前記複数の色成分それぞれの第１レジデューブロックとを加えて、前記それぞれの色成分映像の画素ブロックを復元するステップと、を含むことを特徴とする復号化方法。
【請求項１６】
前記色成分映像は、
Ｒ（Ｒｅｄ）色成分映像、Ｇ（Ｇｒｅｅｎ）色成分映像及びＢ（Ｂｌｕｅ）色成分映像であることを特徴とする請求項１５に記載の復号化方法。
【請求項１７】
前記残りの色成分映像の第２レジデューブロックを生成するステップは、
前記第１色成分映像の復号化された第１レジデューブロックの大きさをｉ×ｊ（ｉ、ｊは整数）、前記第１色成分映像の復号化された第１レジデューブロックのｉ番目の行、ｊ番目の列に位置したレジデュー値を
【数９】
2009543423.tif 000027
前記
【数１０】
2009543423.tif 000028
に対応する残りの色成分映像の第２レジデューブロックの予測レジデュー値を
【数１１】
2009543423.tif 000029
は所定の加重値、ｂは所定のオフセット値とする時、次の数式；
【数１２】
2009543423.tif 000030
を利用して前記予測レジデュー値
【数１３】
2009543423.tif 000031
を計算することによって、前記残りの色成分映像の第２レジデューブロックを生成することを特徴とする請求項１５に記載の復号化方法。
【請求項１８】
前記ａ及びｂは、
前記第１色成分映像の復号化された周辺レジデューブロック、及び前記残りの色成分映像の復号化された周辺レジデューブロックを利用した線形回帰モデルに基づいて決定されることを特徴とする請求項１７に記載の復号化方法。
【請求項１９】
前記ａは、１であり、前記ｂは、前記残りの色成分映像の復号化された周辺レジデューブロックのレジデュー値と前記第１色成分映像の復号化された周辺レジデューブロックの復元されたレジデュー値との差の平均であることを特徴とする請求項１７に記載の復号化方法。
【請求項２０】
前記残りの色成分映像の第２レジデューブロックを生成するステップは、
前記第１色成分映像の復号化されたレジデューブロックを利用して前記残りの色成分映像のうち、第２色成分映像の第２レジデューブロックを生成し、前記第２色成分映像の復号化されたレジデューブロックを利用して前記残りの色成分映像のうち、第３色成分映像の第２レジデューブロックを生成することを特徴とする請求項１５に記載の復号化方法。
【請求項２１】
映像の復号化装置において、
前記映像を構成する複数の色成分映像のうち、第１色成分映像の入力画素ブロックと予測画素ブロックとの差に該当する第１レジデューブロック、及び前記第１色成分映像の第１レジデューブロックを利用して、予測された残りの色成分映像の第２レジデューブロックと前記残りの色成分映像の入力画素ブロックとの差に該当する第３レジデューブロックを備えるビットストリームを受信し、前記第１色成分映像の第１レジデューブロック及び前記残りの色成分映像の第３レジデューブロックを復号化する復号化部と、
前記第１色成分映像の復号化された第１レジデューブロックを利用して前記残りの色成分映像のレジデューを予測して、前記残りの色成分映像の第２レジデューブロックを生成し、前記生成された第２レジデューブロックと前記復号化された第３レジデューブロックとを加えて前記残りの色成分映像の第１レジデューブロックを復元するレジデュー生成部と、
前記複数の色成分映像それぞれの予測画素ブロックと前記複数の色成分それぞれの第１レジデューブロックとを加えて、前記それぞれの色成分映像の画素ブロックを復元する復元部と、を備えることを特徴とする復号化装置。
【請求項２２】
前記色成分映像は、
Ｒ（Ｒｅｄ）色成分映像、Ｇ（Ｇｒｅｅｎ）色成分映像及びＢ（Ｂｌｕｅ）色成分映像であることを特徴とする請求項２１に記載の復号化装置。
【請求項２３】
前記レジデュー生成部は、
前記第１色成分映像の復号化された第１レジデューブロックの大きさをｉ×ｊ（ｉ、ｊは整数）、前記第１色成分映像の復号化された第１レジデューブロックのｉ番目の行、ｊ番目の列に位置したレジデュー値を
【数１４】
2009543423.tif 000032
前記
【数１５】
2009543423.tif 000033
に対応する残りの色成分映像の第２レジデューブロックの予測レジデュー値を
【数１６】
2009543423.tif 000034
は所定の加重値、ｂは所定のオフセット値とする時、次の数式；
【数１７】
2009543423.tif 000035
を利用して前記予測レジデュー値を計算することによって、前記残りの色成分映像の第２レジデューブロックを生成することを特徴とする請求項２１に記載の復号化装置。
【請求項２４】
前記ａ及びｂは、
前記第１色成分映像の復号化された周辺レジデューブロック、及び前記残りの色成分映像の復号化された周辺レジデューブロックを利用した線形回帰モデルに基づいて決定されることを特徴とする請求項２３に記載の復号化装置。
【請求項２５】
前記ａは、１であり、前記ｂは、前記残りの色成分映像の復号化された周辺レジデューブロックのレジデュー値と、前記第１色成分映像の復号化された周辺レジデューブロックの復元されたレジデュー値との差の平均であることを特徴とする請求項２３に記載の復号化装置。
【請求項２６】
前記レジデュー生成部は、
前記第１色成分映像の復号化されたレジデューブロックを利用して前記残りの色成分映像のうち、第２色成分映像の第２レジデューブロックを生成し、前記第２色成分映像の復号化されたレジデューブロックを利用して前記残りの色成分映像のうち、第３色成分映像の第２レジデューブロックを生成することを特徴とする請求項２１に記載の復号化装置。
【発明の詳細な説明】
【技術分野】
【０００１】
本発明は映像の符号化及び復号化に係り、より詳細には、一つの映像を構成する複数の色成分映像において入力映像と予測映像との差であるレジデュー間の相関関係を利用して、いずれか一つの色成分映像のレジデューから他の色成分映像のレジデューを予測することによって、符号化効率を向上させる映像の符号化／復号化方法及び装置に関する。
【背景技術】
【０００２】
一般的に映像を取得する時に最初映像は赤、緑、青（Ｒ、Ｇ、Ｂ）カラーフォーマット形態で取得される。ＲＧＢカラーフォーマット映像を符号化する時には、一般的にＹＵＶ（あるいはＹＣｂＣｒ）などのカラーフォーマットに変換する。この時、Ｙは白黒映像であり、輝度成分を持ち、Ｕ（あるいはＣｂ）及びＶ（あるいはＣｒ）は色成分を持つ。ＲＧＢ映像では情報がＲ、Ｇ、Ｂに均一に分布されているが、ＹＵＶ（あるいはＹＣｂＣｒ）映像では情報がＹ成分に偏り、Ｕ（あるいはＣｂ）及びＶ（あるいはＣｒ）には情報の量が減少する。したがって、圧縮する場合に圧縮効率が高くなるという長所がある。圧縮効率を追加的に改善するために、一般的にＹＵＶ（あるいはＹＣｂＣｒ）映像の色度成分Ｕ（あるいはＣｂ）及びＶ（あるいはＣｒ）を１／４サイズでサンプリングして構成したＹＵＶ（あるいはＹＣｂＣｒ）４：２：０映像を使用する。
【０００３】
しかし、ＹＵＶ（あるいはＹＣｂＣｒ）４：２：０映像でＵ（あるいはＣｂ）及びＶ（あるいはＣｒ）を１／４サイズでサンプリングするのは、色相歪曲が発生して高画質の応用には適していない。したがって、Ｕ（あるいはＣｂ）及びＶ（あるいはＣｒ）のサンプリング過程のないＹＵＶ（あるいはＹＣｂＣｒ）４：４：４映像を効果的に符号化する方法が必要である。最近には、ＲＧＢ映像をＹＵＶ（あるいはＹＣｂＣｒ）に変換する時に発生する色相歪曲を除去するために、ＲＧＢ  ４：４：４映像を直接符号化するレジデュアル色変換（Ｒｅｓｉｄｕａｌ  Ｃｏｌｏｒ  Ｔｒａｎｓｆｏｒｍ：ＲＣＴ）またはインタープレイン予測という技術が提案されたことがある。
【０００４】
このようにＹＵＶ（あるいはＹＣｂＣｒ）４：４：４及びＲＧＢ４：４：４映像のように、色成分間に同じ解像度を持つ映像を直ちに符号化する場合に従来の符号化方法を適用すれば、符号化効率が落ちる。したがって、ＹＵＶ（あるいはＹＣｂＣｒ）４：４：４映像を符号化するか、ＲＧＢ入力映像をＹＵＶ（あるいはＹＣｂＣｒ）に変換せずにそのままＲＧＢドメインで符号化する時、映像の統計的特性に合わせて予測して、高画質を維持しつつも符号化効率を高めることができる方案が必要である。
【発明の開示】
【発明が解決しようとする課題】
【０００５】
本発明が解決しようとする技術的課題は、ＲＧＢカラーフォーマット入力映像を他のカラーフォーマットに変換せずにＲＧＢ各色成分映像のレジデュー間の相関関係を考慮して、ＲＧＢのうちいずれか一つの色成分映像のレジデューから他の色成分のレジデューを予測することによって、符号化効率を向上させる映像の符号化／復号化方法及び装置を提供するところにその目的がある。
【課題を解決するための手段】
【０００６】
前述した技術的課題を解決するために本発明による映像の符号化方法は、入力映像に備えられた複数の色成分映像それぞれに対して、入力画素ブロックと予測画素ブロックとの差に該当する第１レジデューブロックを生成するステップと、前記複数の色成分映像のうち、第１色成分映像の第１レジデューブロックを符号化するステップと、前記符号化された第１色成分映像の第１レジデューブロックを復元するステップと、前記第１色成分映像の復元された第１レジデューブロックを利用して、前記第１色成分映像に含まれていない少なくとも一つの残りの色成分映像のレジデューを予測して第２レジデューブロックを生成するステップと、前記残りの色成分映像の第１レジデューブロックと前記予測された第２レジデューブロックとの差を計算して、前記残りの色成分映像の第３レジデューブロックを生成するステップと、前記生成された残りの色成分映像の第３レジデューブロックを符号化するステップと、を含むことを特徴とする。
【０００７】
本発明による映像の符号化装置は、入力映像に備えられた複数の色成分映像それぞれに対して入力画素ブロックの予測画素ブロックを生成する予測画素ブロック生成部と、前記複数の色成分映像それぞれに対して前記入力画素ブロックと前記予測画素ブロックとの差に該当する第１レジデューブロックを生成し、前記第１レジデューブロックのうち、第１色成分映像の復元された第１レジデューブロックを利用して、残りの色成分映像のレジデューを予測して第２レジデューブロックを生成し、前記第１レジデューブロックと第２レジデューブロックとの差に該当する前記残りの色成分映像の第３レジデューブロックを生成するレジデュー生成部と、前記生成されたレジデューブロックを符号化する符号化部と、を備えることを特徴とする。
【０００８】
本発明による映像の復号化方法は、前記映像を構成する複数の色成分映像のうち、第１色成分映像の入力画素ブロックと予測画素ブロックとの差に該当する第１レジデューブロック、及び前記第１色成分映像の第１レジデューブロックを利用して予測された残りの色成分映像の第２レジデューブロックと前記残りの色成分映像の入力画素ブロックとの差に該当する第３レジデューブロックを備えるビットストリームを受信するステップと、前記第１色成分映像の第１レジデューブロック及び前記残りの色成分映像の第３レジデューブロックを復号化するステップと、前記第１色成分映像の復号化された第１レジデューブロックを利用して前記残りの色成分映像のレジデューを予測して、前記残りの色成分映像の第２レジデューブロックを生成するステップと、前記生成された第２レジデューブロックと前記復号化された第３レジデューブロックと加えて、前記残りの色成分映像の第１レジデューブロックを復元するステップと、前記複数の色成分映像それぞれの予測画素ブロックと前記複数の色成分それぞれの第１レジデューブロックとを加えて、前記それぞれの色成分映像の画素ブロックを復元するステップと、を含むことを特徴とする。
【０００９】
本発明による映像の復号化装置は、前記映像を構成する複数の色成分映像のうち、第１色成分映像の入力画素ブロックと予測画素ブロックとの差に該当する第１レジデューブロック、及び前記第１色成分映像の第１レジデューブロックを利用して、予測された残りの色成分映像の第２レジデューブロックと前記残りの色成分映像の入力画素ブロックとの差に該当する第３レジデューブロックを備えるビットストリームを受信し、前記第１色成分映像の第１レジデューブロック及び前記残りの色成分映像の第３レジデューブロックを復号化する復号化部と、前記第１色成分映像の復号化された第１レジデューブロックを利用して前記残りの色成分映像のレジデューを予測して、前記残りの色成分映像の第２レジデューブロックを生成し、前記生成された第２レジデューブロックと前記復号化された第３レジデューブロックとを加えて前記残りの色成分映像の第１レジデューブロックを復元するレジデュー生成部と、前記複数の色成分映像それぞれの予測画素ブロックと前記複数の色成分それぞれの第１レジデューブロックとを加えて、前記それぞれの色成分映像の画素ブロックを復元する復元部と、を備えることを特徴とする。
【発明の効果】
【００１０】
本発明によれば、一つの映像を構成する複数の色成分映像のレジデュー成分間の相関関係を利用して予測符号化を行うことによって、映像の符号化効率を向上させることができる。
【００１１】
また、本発明によれば、ＲＧＢ入力映像をＹＵＶドメインに変換せずに入力映像そのままＲＧＢドメインで符号化を行うことによって、ＲＧＢ入力映像を他のカラーフォーマットに変換する過程中に発生する色相の歪曲などを防止して映像の品質を向上させることができる。
【発明を実施するための最良の形態】
【００１２】
まず、本発明の明細書で使われる用語を定義する。レジデューとは、元入力映像と予測映像の差を意味する。入力映像がＲ（Ｒｅｄ）、Ｇ（Ｇｒｅｅｎ）及びＢ（Ｂｌｕｅ）の三持って色成分映像を含んでいる時、各色成分映像のレジデュー値（ΔＲ、ΔＧ、ΔＢ）は次の式（１）と共に表現する。
【００１３】
【数１８】
2009543423.tif 000003
式（１）でＲ、Ｇ、Ｂは、入力映像の各色成分別映像を表し、Ｒｐ、Ｇｐ、Ｂｐは、Ｒ、Ｇ、Ｂ入力映像の予測映像を表す。
【００１４】
第１レジデューブロックは、各色成分映像の所定大きさの入力画素ブロックに対する予測符号化を行って生成された予測画素ブロックと前記入力画素ブロックとの差を表す。すなわち、第１レジデューブロックは、一般的に映像処理分野でレジデューブロックと表現される入力画素ブロックと予測画素ブロックとの差に該当するブロックを表す。本発明の説明時には、所定の予測レジデューブロックとレジデューブロックとの間の差に該当するレジデューブロックと区別するために、一般的にレジデューブロックと表現されるブロックを第１レジデューブロックと定義する。
【００１５】
第２レジデューブロックは、本発明による映像符号化方法によって、所定の第１色成分映像の復元された第１レジデューブロックから予測された残りの色成分映像の予測レジデューブロックを表す。
【００１６】
第３レジデューブロックは、残りの色成分映像の第１レジデューブロックと第２レジデューブロックとの差に該当するブロックを表す。
【００１７】
以下、添付した図面を参照して本発明の望ましい実施形態について詳細に説明する。
【００１８】
図１Ａないし図１Ｃは、それぞれ一つのカラー映像を構成するＲＧＢ色成分映像の一例を示す図であり、図２Ａは、図１ＢのＧ色成分映像と図１ＣのＢ色成分映像との相関関係を示すグラフであり、図２Ｂは、図１ＡのＲ色成分映像と図１ＢのＧ色成分映像との相関関係を示すグラフである。
【００１９】
一般的にカラー映像を符号化する時に、それぞれの色成分映像別に予測符号化を行ってそれぞれの色成分内で重なる情報を除去する。図１Ａないし図１Ｃを参照するに、一つのカラー映像を構成する同一位置のＲＧＢ色成分映像の画素値は類似の画素値を持ち、これは、図２Ａ及び図２Ｂに示した相関関係グラフィックを通じて再確認できる。また、ＲＧＢの各色成分別に時間上または空間上予測符号化を行う時に生成されるレジデューの場合、色成分映像の間で高い相関関係を持つ。したがって、複数の色成分映像のレジデュー間の相関関係を利用して各レジデュー間の重なる情報を除去して、圧縮効率を大きく向上させることができる。
【００２０】
かかる事実を利用して、本発明は、複数の色成分映像のレジデューのうち、所定の第１色成分映像のレジデューから残りの色成分映像のレジデューを予測し、残りの色成分映像のレジデューは、従来のようにレジデュー全体を符号化する代わりに予測されたレジデューとの差のみを符号化する符号化方法及び装置、かかる符号化方法によって符号化されたカラー映像のビットストリームを復号化する方法及び装置を提供する。
【００２１】
以下、ＲＧＢ４：４：４領域で本発明による映像の符号化／復号化方法及び装置を説明する。本発明の説明時に、現在フレーム内の一つのマクロブロックを符号化する場合を中心に説明する。また、説明の便宜上、Ｇ色成分映像、Ｂ色成分映像、Ｒ色成分映像の順序で符号化される場合を仮定する。しかし、色成分映像の符号化順序は前記例に限定されずにいくらでも変更できる。
【００２２】
図３は、本発明の望ましい実施形態による映像符号化装置の構成を示すブロック図である。以下では、Ｈ．２６４規格による映像符号化装置を中心に説明するが、本発明による映像符号化装置は、レジデューコーディングを行う他の映像符号化装置にも適用できる。
【００２３】
図３を参照するに、映像符号化装置３００は、予測画素ブロック生成部３１０、レジデュー生成部２３０、変換／量子化部３３０、エントロピー符号化部３４０、逆量子化／逆変換部３５０及び復元部３６０を備える。
【００２４】
予測画素ブロック生成部３１０は、入力映像の各色成分映像に対して所定大きさの入力画素ブロック単位でイントラまたはインター予測を行って予測画素ブロックを生成する。ここで、イントラまたはインター予測は、Ｈ．２６４規格などに開示された予測方式がそのまま適用されてもよく、他の変形された形態のイントラまたはインター予測方式が適用されてもよい。
【００２５】
レジデュー生成部３２０は、各色成分映像の入力画素ブロックと、予測画素ブロック生成部３１０で生成された各色成分映像の予測画素ブロックとの差を計算して、各色成分映像別に第１レジデューブロックを生成し、各色成分映像の第１レジデューブロックのうち、第１色成分映像の復元された第１レジデューブロックを利用して残りの色成分映像のレジデューを予測して第２レジデューブロックを生成し、残りの色成分映像の第１レジデューブロックと第２レジデューブロックとの差に該当する第３レジデューブロックを生成する。
【００２６】
図４は、図３のレジデュー生成部３２０の構成を具体的に示すブロック図である。図４を参照するに、レジデュー生成部３２０は、第１レジデューブロック生成部３２１、第２レジデューブロック生成部３２２及び第３レジデューブロック生成部３２３を備える。
【００２７】
第１レジデューブロック生成部３２１は、各色成分映像別に入力画素ブロックと、予測画素ブロック生成部３１０で生成された予測画素ブロックとの差を計算することによって、各色成分映像の第１レジデューブロックを生成する。例えば、第１レジデュー生成部３２０は、ＲＧＢ色成分映像それぞれに対して入力画素ブロックと予測画素ブロックとの差を計算することによって、Ｇ色成分映像の第１レジデューブロック、Ｂ色成分映像の第１レジデューブロック及びＲ色成分映像の第１レジデューブロックを生成する。
【００２８】
第２レジデューブロック生成部３２２は、各色成分映像の第１レジデューブロックのうち、所定の第１色成分映像の復元された第１レジデューブロックを利用して残りの色成分映像のレジデューブロックを予測することによって、残りの色成分映像の第２レジデューブロックを生成する。
【００２９】
前述したように、カラー映像を構成する色成分映像のレジデューは互いに相関関係を持ち、これを１次関数で線形モデリングできる。第２レジデューブロック生成部３２２は、線形的なモデリング過程を通じて生成された予測子を利用して、第１色成分映像の復元された第１レジデューブロックのレジデュー値を媒介変数として残りの色成分映像のレジデューを予測することによって、残りの色成分映像の第２レジデューブロックを生成する。例えば、第１色成分映像をＧ色成分映像とすれば、第２レジデューブロック生成部３２２は、変換／量子化部３３０によって変換及び量子化された後、再び逆量子化／逆変換部３５０によって逆量子化及び逆変換されて復元されたＧ色成分映像の第１レジデューブロックを利用して、残りのＢ色成分映像及びＲ色成分映像のレジデューブロックを予測することによって、Ｂ色成分映像及びＲ色成分映像それぞれの第２レジデューブロックを生成する。第１色成分映像の第１レジデューブロックを利用して残りの色成分映像のレジデューブロックを予測するための線形モデリング過程の具体的な内容は後述する。
【００３０】
第３レジデューブロック生成部３２３は、残りの色成分映像の第１レジデューブロックと第２レジデューブロックとの差を計算して、第３レジデューブロックを生成する。
【００３１】
レジデュー生成部３２０によって生成された各色成分映像のレジデューブロックのうち、第１色成分映像の第１レジデューブロックは、前述したように、変換、量子化及びエントロピー符号化されるが、残りの色成分映像の第１レジデューブロックはそのまま符号化されるものではなく、第１レジデューブロックと第２レジデューブロックとの差値である第３レジデューブロックが符号化される。残りの色成分映像の第３レジデューブロックは、元レジデューブロックに該当する第１レジデューブロックに比べてその大きさが縮小されるため、残りの色成分映像のレジデューブロックに割り当てられねばならないビット量を減少させて、符号化効率を向上させることができる。
【００３２】
変換／量子化部３３０及びエントロピー符号化部３４０は、レジデュー生成部３２０で生成された第１色成分映像の第１レジデューブロック及び残りの色成分映像の第３レジデューブロックを変換、量子化及びエントロピー符号化してビットストリームを出力する。変換方式は直交変換符号化方式が適用される。直交変換符号化方式のうち、多く使われる方式は、高速フーリエ変換（ＦＦＴ）、離散コサイン変換（ＤＣＴ：Ｄｉｓｃｒｅｔｅ  Ｃｏｓｉｎｅ  Ｔｒａｎｓｆｏｒｍ）、カルーネンロエベ変換（ＫＬＴ）、アダマール変換、傾斜変換などがある。
【００３３】
逆量子化／逆変換部３５０は、レジデュー生成部３２０で残りの色成分映像の予測レジデューブロックである第２レジデューブロックを生成するために、前記変換／量子化部３３０で変換及び量子化された第１色成分映像の第１レジデューブロックを逆量子化及び逆変換する。
【００３４】
復元部３６０は、予測画素ブロック生成部３１０で生成された各色成分映像の予測画素ブロックと各色成分映像の第１レジデューブロックとを加えて、各色成分映像の画素ブロックを復元する。ここで、残りの色成分映像の第１レジデューブロックは、レジデュー生成部３２０で生成された残りの色成分映像の第１レジデューブロックをそのまま利用するか、レジデュー生成部３２０で生成された残りの色成分映像の第２レジデューブロックと、逆量子化／逆変換部３５０によって復元された残りの色成分映像の第３レジデューブロックとを加えた値を、残りの色成分映像の第１レジデューブロックとして利用できる。復元部３６０で復元された各色成分映像の画素ブロックは、他の画素ブロックの予測符号化のために予測画素ブロック生成部３１０に入力される。
【００３５】
図５は、本発明の望ましい実施形態による映像符号化方法を示すフローチャートである。以下、図３ないし図５を参照して本発明による映像符号化装置の動作及び映像符号化方法について説明する。
【００３６】
ステップ５１０で、第１レジデューブロック生成部３２１は、入力映像に備えられた複数の色成分映像それぞれに対して所定大きさの入力画素ブロックと、予測画素ブロック生成部３１０で生成された各色成分映像の予測画素ブロックとの差を計算して、各色成分映像の第１レジデューブロックを生成する。
【００３７】
ステップ５２０で、各色成分映像の第１レジデューブロックのうち、所定の第１色成分映像の第１レジデューブロックを変換、量子化及びエントロピー符号化して、第１色成分映像の第１レジデューブロックを符号化する。
【００３８】
ステップ５３０で、変換及び量子化された第１色成分映像の第１レジデューブロックを再び逆量子化及び逆変換して復元する。
【００３９】
ステップ５４０で、２レジデューブロック生成部３２２は、復元された第１色成分映像の第１レジデューブロックを利用して残りの色成分映像の第２レジデューブロックを生成する。以下では、入力映像にＲＧＢの三色成分映像が含まれ、Ｇ色成分映像、Ｂ色成分映像及びＲ色成分映像の順序で各色成分映像のレジデューを符号化すると仮定した時、Ｇ色成分映像の復元された第１レジデューブロックを利用してＢ色成分映像及びＲ色成分映像の第２レジデューブロックを予測する過程を具体的に説明する。
【００４０】
図６Ａは、Ｇ色成分映像の１６×１６第１レジデューブロック、図６Ｂは、Ｂ色成分映像の１６×１６第１レジデューブロック、図６Ｃは、Ｒ色成分映像の１６×１６第１レジデューブロックを示す図である。ここで、ｇｉ，ｊ、ｂｉ，ｊ、ｒｉ，ｊは、それぞれＧ、Ｂ、Ｒ色成分映像の１６×１６第１レジデューブロックでｉ番目の行及びｊ番目の列に位置した第１レジデュー値を表す。また、図６Ａないし図６Ｃそれぞれでハッチングで表示されたレジデューは、現在レジデューブロック以前に処理された周辺レジデューブロックの復元されたレジデュー値を表す。
【００４１】
復元されたＧ色成分映像の第１レジデューブロックのｉ番目の行、ｊ番目の列に位置したレジデュー値を
【００４２】
【数１９】
2009543423.tif 000004
前記
【００４３】
【数２０】
2009543423.tif 000005
に対応するＢ色成分映像の第１レジデューブロックのｉ番目の行、ｊ番目の列に位置したレジデューの予測値を
【００４４】
【数２１】
2009543423.tif 000006
は所定の加重値、ｂは所定のオフセット値とする。第２レジデューブロック生成部３２２は、復元されたＧ色成分映像のレジデューブロックとＢ色成分映像のレジデューブロックとの相関関係を、次の式（２）のように１次関数でモデリングする。そして、第２レジデューブロック生成部３２２は、Ｇ色成分映像の復元された第１レジデューブロックのレジデュー値
【００４５】
【数２２】
2009543423.tif 000007
を媒介変数として、Ｂ色成分映像の第１レジデューブロック内のレジデューの予測レジデュー値
【００４６】
【数２３】
2009543423.tif 000008
を生成する。
【００４７】
【数２４】
2009543423.tif 000009
前述したように、式（２）を通じて得られたＢ色成分映像の予測レジデュー値で構成されたレジデューブロックを、Ｂ色成分映像の第２レジデューブロックと定義する。式（２）を通じて得られたＢ色成分映像の予測レジデュー値、すなわち、第２レジデューブロックのレジデュー値は−２５５と２５５との間の整数値にクリッピングされる。前記ａ及びｂの値は画素の位置（ｉ，ｊ）によって変更できるが、本発明の実施形態では所定のブロック内で定数値を持つ場合を考慮する。
【００４８】
前記ａ及びｂの値は、次の式（３）及び（４）のようにＧ色成分映像の復元された周辺レジデューブロックと、Ｂ色成分映像の復元された周辺レジデューブロックとの復元されたレジデュー値を利用した所定の関数値に決定される。
【００４９】
【数２５】
2009543423.tif 000010
前記ａ及びｂは多様な形態で定義できる。一例として、Ｇ色成分映像の復元された周辺レジデューブロック及び対応するＢ色成分映像の復元された周辺レジデューブロックのレジデュー対に対して、統計分野で多く利用される線形回帰モデルを適用して式（２）を満たすａ及びｂの値を決定できる。
【００５０】
他の例として、ａ及びｂはＧ色成分映像の周辺レジデューブロックの復元されたレジデュー値を式（２）に代入することで予測されたＢ色成分映像の周辺レジデューブロックのレジデュー値と、Ｂ色成分映像の周辺レジデューブロックの復元されたレジデュー値との差を最小にする値に決定できる。さらに他の例として、ａは１、ｂは次の式（５）のように、Ｂ色成分映像の周辺レジデューブロックの復元されたレジデュー値とＧ色成分映像の周辺レジデューブロックの復元されたレジデュー値との差の平均と定義できる。
【００５１】
【数２６】
2009543423.tif 000011
前述した実施形態では、ａ及びｂの値の決定時、現在レジデューブロックに隣接した復元された周辺レジデューブロックのレジデュー値を利用した。ａ及びｂの値の決定時に利用される周辺レジデューブロックのレジデュー値は、現在レジデューブロックの上側または左側に隣接したレジデュー値以外にさらに多くの、またはさらに少ない周辺レジデューブロックの復元されたレジデュー値が利用できる。
【００５２】
図７Ａは、本発明による映像符号化方法及び装置で８×８レジデューブロックの処理順序を示す図であり、図７Ｂは、本発明による映像符号化方法及び装置で４×４レジデューブロックの処理順序を示す図である。
【００５３】
第２レジデューブロック生成部３２２は、１６×１６レジデューブロックを８×８レジデューブロックまたは４×４レジデューブロックに分割して、残りの色成分映像の第２レジデューブロックを生成できる。
【００５４】
図８Ａを参照するに、Ｂ色成分映像のレジデューブロックを８×８ブロック単位で処理する場合、４個のＢ色成分映像の８×８レジデューブロックは左から右、上から下に順次に予測される。ブロックサイズのみ変わっただけで、前述したＢ色成分映像の１６×１６第１レジデューブロックのレジデュー値を予測する過程と類似して、式（２）を通じてＢ色成分映像の８×８第１レジデューブロック内の各レジデュー値を予測できる。一例として、ａは１、ｂは次の式（６）のように、Ｂ色成分映像の周辺レジデューブロックの復元されたレジデュー値とＧ色成分映像の周辺レジデューブロックの復元されたレジデュー値との差の平均として定義できる。
【００５５】
【数２７】
2009543423.tif 000012
図８Ｂを参照するに、Ｂ色成分映像のレジデューブロックを４×４ブロック単位で処理する場合、１６個のＢ色成分４×４レジデューブロックは左から右、上から下に順次に予測される。Ｂ色成分映像の各４×４レジデューブロックのレジデュー値は、前述したＢ色成分映像の１６×１６第１レジデューブロックまたは８×８第１レジデューブロックを予測して第２レジデューブロックを生成する過程と類似して、式（２）を通じて予測されうる。一例として、式（２）でａは１に設定し、ｂは次の式（７）のように、Ｂ色成分映像の周辺レジデューブロックの復元されたレジデュー値とＧ色成分映像の周辺レジデューブロックの復元されたレジデュー値との差の平均として定義できる。
【００５６】
【数２８】
2009543423.tif 000013
前述した多様な方式を通じて式（２）のａ及びｂの値が決定されれば、式（２）にＧ色成分映像の復元された第１レジデューブロックのレジデュー値を代入して、Ｂ色成分映像の第２レジデューブロックを生成できる。
【００５７】
このように、Ｂ色成分映像の第２レジデューブロックの生成は１６×１６、８×８、４×４ブロック単位でなされうる。一つの適応的な実施形態として、前記３つのブロックモードのうち、適した一つのブロック単位で各レジデューブロックの予測が行われうる。
【００５８】
次いで、Ｒ色成分映像の第２レジデューブロックのレジデュー値は、前述したＢ色成分映像の第２レジデューブロックの生成過程と類似して、Ｇ色成分映像の復元された第１レジデューブロックのレジデュー値を利用して予測できる。
【００５９】
再び図５を参照するに、ステップ５４０で残りの色成分映像、すなわち、Ｂ色成分映像及びＲ色成分映像の第２レジデューブロックが生成されれば、ステップ５５０で第３レジデューブロック生成部３２３は、残りの色成分映像の第１レジデューブロックと第２レジデューブロックとの差を計算して、残りの色成分映像の第３レジデューブロックを生成する。例えば、第３レジデューブロック生成部３２３は、Ｂ色成分映像の第１レジデューブロックからＢ色成分映像の第２レジデューブロックを引いてＢ色成分映像の第３レジデューブロックを生成し、Ｒ色成分映像の第１レジデューブロックからＲ色成分映像の第２レジデューブロックを引いてＲ色成分映像の第３レジデューブロックを生成する。
【００６０】
ステップ５６０で、残りの色成分映像の各第３レジデューブロックを変換、量子化及びエントロピー符号化してビットストリームを出力する。
【００６１】
一方、第２レジデューブロック生成部３２２は、Ｒ色成分映像の第２レジデューブロックを生成する時、復元されたＧ色成分映像の第１レジデューブロックを利用する代わりに、以前に処理されたＢ色成分映像の復元された第１レジデューブロックを利用して、Ｒ色成分映像の第２レジデューブロックを生成できる。すなわち、Ｂ色成分映像の復元された第３レジデューブロックとＧ色成分映像の復元された第１レジデューブロックとから予測されたＢ色成分映像の第２レジデューブロックを加えて、Ｂ色成分映像の第１レジデューブロックを復元した後、前述したＢ色成分映像の第２レジデューブロックの生成過程と類似して、Ｂ色成分映像の復元された第１レジデューブロックを利用してＲ色成分映像の第２レジデューブロックを生成できる。
【００６２】
具体的に、復元されたＢ色成分映像の画素ブロックのｉ番目の行、ｊ番目の列に位置した復元されたレジデュー値を
【００６３】
【数２９】
2009543423.tif 000014
前記
【００６４】
【数３０】
2009543423.tif 000015
に対応するＲ色成分映像のレジデューブロックのｉ番目の行、ｊ番目の列に位置したレジデューの予測値を
【００６５】
【数３１】
2009543423.tif 000016
は所定の加重値、ｄは所定のオフセット値とする時、第２レジデューブロック生成部３２２は、次の式（８）に復元されたＢ色成分映像のレジデュー値を代入して対応するＲ色成分映像のレジデュー値を予測する。
【００６６】
【数３２】
2009543423.tif 000017
前記ｃ及びｄの値は、前記ａ及びｂの値と類似して決定できる。式（８）を通じて得られたＲ色成分映像の予測レジデュー値
【００６７】
【数３３】
2009543423.tif 000018
で構成されたレジデューブロックは、Ｒ色成分映像の第２レジデューブロックを構成する。第３レジデューブロック生成部３２３は、Ｒ色成分映像の第１レジデューブロックと第２レジデューブロックとの差を計算して第３レジデューブロックを生成する。
【００６８】
前述した本発明の映像符号化方法によって符号化されたカラー映像のビットストリームには、所定の第１色成分の符号化された第１レジデューブロック情報及び残りの色成分の第３レジデューブロック情報が備えられる。また、符号化されたビットストリームには、第２レジデューブロックの生成時に利用される予測子情報、例えば、式（２）のａ及びｂの値または式（８）のｃ及びｄの値が備えられることが望ましい。しかし、復元された周辺画素ブロック情報を利用してａ及びｂの値またはｃ及びｄの値などを生成する場合、復号器でも符号器と同じ方法で使用すれば、別途にａ及びｂの値またはｃ及びｄの値などをビットストリームに含む必要はない。
【００６９】
復号化部では、第１色成分映像の第１レジデューブロックを復号化して、第１色成分映像の予測画素ブロックと加えて第１色成分映像の画素ブロックを復元でき、残りの色成分映像の復号化時には、以前に復号化された第１色成分映像の第１レジデューブロックを利用して予測された残りの色成分映像の第２レジデューブロックと復号化された第３レジデューブロックとを加えることによって、残りの色成分映像の第１レジデューブロックを復号化した後、復号化された残りの色成分映像の第１レジデューブロックを残りの色成分映像の予測画素ブロックと加えることによって、残りの色性方映像の画素ブロックを復元できる。
【００７０】
図８は、本発明の望ましい実施形態による映像復号化装置の構成を示す図である。図８を参照するに、本発明による映像復号化装置８００は、エントロピー復号化部８１０、逆量子化／逆変換部８２０、レジデュー生成部８３０、予測画素ブロック生成部８４０及び復元部８５０を備える。
【００７１】
エントロピー復号化部８１０は、ビットストリームを受信してエントロピー復号化し、逆量子化／逆変換部８２０は、逆量子化及び逆変換を行って各色成分映像のレジデュー情報、動きベクトル情報及び予測モード情報などを抽出する。
【００７２】
本発明によって符号化されたカラー映像のビットストリームに備えられたレジデュー情報には、第１色成分映像の符号化された第１レジデューブロック情報及び残りの色成分映像の第３レジデューブロック情報が備えられることが望ましい。また予測モード情報には、本発明によって符号化されたビットストリームを表す所定のシンタックス、及び残りの色成分映像の第２レジデューブロックを予測するために第２レジデューブロックを生成するところに利用された予測子情報が含まれうる。例えば、前述した式（２）及び（８）の定数値が予測子情報として含まれうる。
【００７３】
予測画素ブロック生成部８４０は、ビットストリームに備えられた予測モード情報によって各色成分映像の所定大きさ画素ブロックに対する予測画素ブロックを生成する。すなわち、予測画素ブロック生成部８４０は現在画素ブロックの予測モードによってインター予測またはイントラ予測を行って現在画素ブロックの予測画素ブロックを生成する。
【００７４】
レジデュー生成部８３０は、逆量子化／逆変換部８２０から出力される第１色成分映像の復号化された第１レジデューブロックを利用して残りの色成分映像のレジデューを予測して、残りの色成分映像の第２レジデューブロックを生成する。ここで、残りの色成分映像の第２レジデューブロックの生成過程は、図４の第２レジデューブロック生成部３２２で行われる第２レジデューブロックの生成過程と同一であるので、具体的な説明は省略する。レジデュー生成部８３０は、残りの色成分映像の第２レジデューブロックが生成されれば、生成された残りの色成分映像の第２レジデューブロックと、復号化された残りの色成分映像の第３レジデューブロックとを加えることによって、残りの色成分映像の第１レジデューブロックを復号化する。もし、第３色成分映像の第３レジデューブロックが、復元された第２色成分映像の第１レジデューブロックを利用して予測された場合、レジデュー生成部８３０は、復元された第２色成分映像の第２レジデューブロックのレジデュー値を式（８）に代入することで、第３色成分画素ブロックの第２レジデューブロックを生成した後、生成された第２レジデューブロックと復号化された残りの色成分映像の第３レジデューブロックとを加えることによって、残りの色成分映像の第１レジデューブロックを復号化する。
【００７５】
復元部８５０は、生成された残りの色成分映像の第１レジデューブロックと、予測画素ブロック生成部８４０で生成された残りの色成分映像の予測画素ブロックとを加えて、残りの色成分映像の画素ブロックを復元する。第１色成分映像の場合、別途の第２レジデューブロックの予測過程なしに、ビットストリームに備えられた第１レジデューブロックを復号化した後、予測画素ブロック生成部８４０で生成された第１色成分映像の予測画素ブロックと加えることによって第１色成分映像の画素ブロックを復号化できる。
【００７６】
図９は、本発明の望ましい実施形態による映像復号化方法を示すフローチャートである。図９を参照するに、ステップ９１０でビットストリームに備えられた第１色成分映像の第１レジデューブロック及び残りの色成分映像の第３レジデューブロックを復号化する。
【００７７】
ステップ９２０で、復号化された第１色成分映像の第１レジデューブロックを利用して残りの色成分映像の第２レジデューブロックを生成する。前述したように、式（２）に、復号化された第１色成分映像の第１レジデューブロックのレジデュー値を代入することで、残りの色成分映像の第２レジデューブロックを生成できる。
【００７８】
ステップ９３０で、残りの色成分映像の第２レジデューブロックと、残りの色成分映像の復号化された第３レジデューブロックとを加えて、残りの色成分映像の第１レジデューブロックを復元する。
【００７９】
ステップ９４０で、各色成分映像の予測画素ブロックと、復元された各色成分映像の第１レジデューとを加えて各色成分映像の画素ブロックを復元する。かかる過程を、一つのフレームを構成するあらゆる画素ブロックに対して行うことによって、各色成分映像を復号化できる。
【００８０】
本発明はまた、コンピュータで読み取り可能な記録媒体にコンピュータで読み取り可能なコードとして具現することができる。コンピュータで読み取り可能な記録媒体は、コンピュータシステムによって読み取られるデータが保存されるあらゆる種類の記録装置を含む。コンピュータで読み取り可能な記録媒体の例には、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散されて、分散方式でコンピュータで読み取り可能なコードが保存されて実行されうる。
【００８１】
前記のように本発明によれば、一つの映像を構成する複数の色成分映像のレジデュー成分間の相関関係を利用して予測符号化を行うことによって、映像の符号化効率を向上させることができる。
【００８２】
また、本発明によれば、ＲＧＢ入力映像をＹＵＶドメインに変換せずに入力映像そのままＲＧＢドメインで符号化を行うことによって、ＲＧＢ入力映像を他のカラーフォーマットに変換する過程中に発生する色相の歪曲などを防止して映像の品質を向上させることができる。
【００８３】
これまで本発明についてその望ましい実施形態を中心に説明した。当業者ならば、本発明の本質的な特性から逸脱しない範囲で変形された形態で具現できるということを理解できるであろう。したがって、開示された実施形態は限定的な観点ではなく説明的な観点で考慮されねばならない。本発明の範囲は前述した説明ではなく特許請求の範囲に現れており、それと同等な範囲内にあるあらゆる差異点は本発明に含まれていると解釈されねばならない。
【図面の簡単な説明】
【００８４】
【図１Ａ】一つのカラー映像を構成するＲ色成分映像の一例を示す図である。
【図１Ｂ】一つのカラー映像を構成するＧ色成分映像の一例を示す図である。
【図１Ｃ】一つのカラー映像を構成するＢ色成分映像の一例を示す図である。
【図２Ａ】図１ＢのＧ色成分映像と図１ＣのＢ色成分映像との相関関係を示すグラフである。
【図２Ｂ】図１ＡのＲ色成分映像と図１ＢのＧ色成分映像との相関関係を示すグラフである。
【図３】本発明の望ましい実施形態による映像符号化装置の構成を示すブロック図である。
【図４】図３のレジデュー生成部３２０の構成を具体的に示すブロック図である。
【図５】本発明の望ましい実施形態による映像符号化方法を示すフローチャートである。
【図６Ａ】Ｇ色成分映像の１６×１６第１レジデューブロックを示す図である。
【図６Ｂ】Ｂ色成分映像の１６×１６第１レジデューブロックを示す図である。
【図６Ｃ】Ｒ色成分映像の１６×１６第１レジデューブロックを示す図である。
【図７Ａ】本発明による映像符号化方法及び装置で８×８レジデューブロックの処理順序を示す図である。
【図７Ｂ】本発明による映像符号化方法及び装置で４×４レジデューブロックの処理順序を示す図である。
【図８】本発明の望ましい実施形態による映像復号化装置の構成を示す図である。
【図９】本発明の望ましい実施形態による映像復号化方法を示すフローチャートである。
【図１Ａ】
2009543423.tif 000036
【図１Ｂ】
2009543423.tif 000037
【図１Ｃ】
2009543423.tif 000038
【図２Ａ】
2009543423.tif 000039
【図２Ｂ】
2009543423.tif 000040
【図３】
2009543423.tif 000041
【図４】
2009543423.tif 000042
【図５】
2009543423.tif 000043
【図６Ａ】
2009543423.tif 000044
【図６Ｂ】
2009543423.tif 000045
【図６Ｃ】
2009543423.tif 000046
【図７Ａ】
2009543423.tif 000047
【図７Ｂ】
2009543423.tif 000048
【図８】
2009543423.tif 000049
【図９】
2009543423.tif 000050
【国際調査報告】
2009543423.tif 000051
2009543423.tif 000052